(57)【特許請求の範囲】
【請求項１】
小型滑走艇を浮かべる水槽と、この水槽内に水平環状流れを形成するために前記水槽の幅方向中央に立てた仕切り壁と、小型滑走艇からのジェット水を案内するために小型滑走艇の艇尾後方に且つ環状流れ中に設けた水流案内板と、からなる小型滑走艇の検査装置において、
前記水流案内板は、仕切り壁の一端を中心とした所定半径の第１の案内板本体と、第１の案内板本体から所定距離だけ離し同心の第２の案内板本体と、第２の案内板本体から所定距離だけ離し同心の第３の案内板本体と、からなることを特徴とする小型滑走艇の検査装置。
【請求項２】
小型滑走艇を浮かべる水槽と、この水槽内に上下環状流れを形成するために前記水槽の高さ方向中央に設けた仕切り板と、上下環状流れを案内するために上下環状流れの四隅に設けた水流案内板と、からなる小型滑走艇の検査装置において、
前記水槽は、小型滑走艇の後方に着脱自在に配置して水槽の長さを変える間仕切り板を備え、
前記水流案内板は、間仕切り板の上方の隅に着脱自在に配置した上部案内板と、下方の隅に着脱自在に配置した下部案内板と、を備えたことを特徴とする小型滑走艇の検査装置。
【発明の詳細な説明】
【０００１】
【発明の属する技術分野】
本発明は水槽を用いた小型滑走艇の検査装置に関する。
【０００２】
【従来の技術】
艇の検査や試験に用いる水槽には、例えば、特開平１１−１３２８９８号公報「回流水槽及びその流速調整方法」に示されたものがある。この回流水槽１（符号は同公報に記載されたものを使用した。以下同様。）は、開水路２の前後を閉水路３で連通し、この閉水路３内に水を循環させるポンプ７を介装し、閉水路３から開水路２へ移行する開口部４にその開口高さを増減できる流速可変手段５を設けたもので、流速可変手段５により水深制御を行うことで、跳水現象の発生を回避して、非常に滑らかな水面変化で流速調整を行うことができ、船舶の試験に好都合であるというものである。
【０００３】
【発明が解決しようとする課題】
しかし、上記公報の回流水槽１は、閉水路３内にポンプ７を設けたものであり、船舶の推進力が大きいと、ポンプ７が閉水路３の流れの抵抗となり、船舶の後方とポンプ７との間で水が滞留する場合がある。水が滞留が大きくなると、実際の使用条件と同等の条件で船舶の性能検査を実施することができないことがある。
仮に、閉水路３やポンプ７を大きくすると水槽の設備費が嵩む。
【０００４】
そこで、本発明の目的は、水槽で小型滑走艇を実際の使用条件と同等の条件で性能検査することができる小型滑走艇の検査装置を提供することにある。
【０００５】
【課題を解決するための手段】
上記目的を達成するために請求項１は、小型滑走艇を浮かべる水槽と、この水槽内に水平環状流れを形成するために水槽の幅方向中央に立てた仕切り壁と、小型滑走艇からのジェット水を案内するために小型滑走艇の艇尾後方に且つ環状流れ中に設けた水流案内板と、からなる小型滑走艇の検査装置において、水流案内板は、仕切り壁の一端を中心とした所定半径の第１の案内板本体と、第１の案内板本体から所定距離だけ離し同心の第２の案内板本体と、第２の案内板本体から所定距離だけ離し同心の第３の案内板本体と、からなることを特徴とする。
【０００６】
水流案内板は、小型滑走艇が噴射するジェット水をＵターンするように案内し、水平環状流れを生じさせる。引き続き、仕切り壁によりＵ字状に戻り始めたジェット水を小型滑走艇の前方へ導き、水平環状流れを形成する。その結果、小型滑走艇のジェット水が水槽の側板に当たって直接艇尾に戻ったり、艇尾に滞留したりすることがなくなる。
【０００７】
請求項２は、小型滑走艇を浮かべる水槽と、この水槽内に上下環状流れを形成するために水槽の高さ方向中央に設けた仕切り板と、上下環状流れを案内するために上下環状流れの四隅に設けた水流案内板と、からなる小型滑走艇の検査装置において、水槽は、小型滑走艇の後方に着脱自在に配置して水槽の長さを変える間仕切り板を備え、水流案内板は、間仕切り板の上方の隅に着脱自在に配置した上部案内板と、下方の隅に着脱自在に配置した下部案内板と、を備えたことを特徴とする。
【０００８】
水流案内板は、まず、小型滑走艇が噴射するジェット水を水面側から水槽の底に向けて流れるように案内し、上下環状流れを生じさせる。引き続いて、底から小型滑走艇前方の水面へ流れるように案内し、上下環状流れを形成する。その際、水槽の高さ方向中央に設けた仕切り板は、底を流れるジェット水が中途で上昇するのを防ぎつつ、前方へ導く。その結果、小型滑走艇のジェット水が水槽の側板に当たって直接艇尾に戻ったり、艇尾に滞留したりすることがなくなる。
また、請求項２では、上部案内板を取り外して、間仕切り板とともに下部案内板を取り外し可能な構成としたので、小型滑走艇からの距離を大きくすることができる。その結果、小型滑走艇の出力がより大きい場合であっても、ジェット水が水槽の側板に当たって外に出たり、直接艇尾に戻ったり、艇尾に滞留したりすることがなく、水槽で高出力な小型滑走艇を実際の使用条件と同等の条件で性能検査することができる。
【０００９】
【発明の実施の形態】
本発明の実施の形態を添付図に基づいて以下に説明する。なお、図面は符号の向きに見るものとする。
図１は本発明に係る小型滑走艇の検査装置の平面図（第１実施の形態）であり、小型滑走艇の検査装置１０は、小型滑走艇１１を水槽１２にセットし、所定の項目を表示器１３に表示する検査装置で、水槽１２と、水槽１２内に設けた仕切り壁１４と、水流案内板１５と、からなる。１６は水を示す。
【００１０】
小型滑走艇１１は、エンジンによって艇尾１１ａ後方からジェット水１７を噴射することで、滑走する。小型滑走艇１１の長さをＬｂ、幅をＷｂ、高さをＨｂ（図２参照）に設定した。
【００１１】
水槽１２は、底板１８の四辺にそれぞれ第１側板２１、第２側板２２、第３側板２３、第４側板２４を立て、これらの第１〜第４側板２１〜２４の上端に上板２５を取付けたものである。２６は階段を示す。
水槽１２の長さをＬに設定した。長さＬは、小型滑走艇１１の長さＬｂの少なくとも２倍の長さである。
水槽１２の幅をＷに設定した。幅Ｗは、小型滑走艇１１の幅Ｗｂの少なくとも２倍の幅である。
【００１２】
上板２５は、小型滑走艇１１より大きな開口部２７を形成し、開口部２７の端に３個の掛止部材３１，３１，３１を取付け、第４側板２４側に排気管３２を取付けたものである。
排気管３２は、図に示していない吸引手段を有し、水面４３に漂う小型滑走艇１１の排出ガスを排気する。
【００１３】
仕切り壁１４は、水平環状流れ（矢印▲１▼の方向）を形成するためのもので、水槽１２の幅Ｗ方向中央（ほぼＷ／２）に立てるとともに、長さをＬｐに設定し、一端に流入部３３を形成し、他端に流出部３４を形成した。
【００１４】
水流案内板１５は、小型滑走艇１１からのジェット水１７を案内するために小型滑走艇１１の艇尾１１ａ後方に且つ環状流れ中に設けたもので、底板１８に立てた湾曲状の第１の案内板本体３５と、第１の案内板本体３５から距離Ｋ１だけ離して立てた湾曲状の第２の案内板本体３６と、第２の案内板本体３６から距離Ｋ２だけ離して立てた湾曲状の第３の案内板本体３７と、からなるものである。３８・・・（・・・は複数を示す。以下同様。）は水槽１２の隅に配置した滞留防止板を示す。
【００１５】
図２は図１の２−２線断面図（第１実施の形態）であり、小型滑走艇１１と、水槽１２と、水１６と、仕切り壁１４と、水流案内板１５（第１〜第３の案内板本体３５〜３７）と、滞留防止板３８，３８と、を示す。４１は安全柵、４２は小型滑走艇１１をセットする載置台を示す。
【００１６】
水１６の水位をＨｗに設定した。
仕切り壁１４の高さはＨｐであり、高さＨｐは水位Ｈｗより高い（Ｈｐ＞Ｈｗ）。
水流案内板１５の高さ、滞留防止板３８の高さは仕切り壁１４の高さＨｐと同じである。
【００１７】
ここで、小型滑走艇の検査要領（第１実施の形態）を簡単に説明する。
まず、予め水１６を溜めた水槽１２に完成した小型滑走艇１１を入れるとともに、載置台４２に載せて水１６に浸ける。引き続いて、小型滑走艇１１の前後を掛止部材３１，３１，３１（図１参照）で止め、小型滑走艇１１に計測関係のケーブル類を接続する。その次に、エンジンを作動させるとともに、ジェット水１７を噴射させ、例えば、小型滑走艇１１の出力を計測する。
【００１８】
以上に述べた小型滑走艇の検査装置の作用を次に説明する。
図３は本発明に係る小型滑走艇の検査装置の作用図である。
小型滑走艇１１がジェット水１７を艇尾１１ａ後方に噴射すると、ジェット水１７は水流案内板１５の第１〜第３の案内板本体３５〜３７に矢印▲２▼，▲２▼，▲２▼の如く当たるとともに、第１〜第３の案内板本体３５〜３７により矢印▲３▼，▲３▼，▲３▼の如く案内され、水１６には環状流れが起きる。そして、流れの先頭は仕切り壁１４により案内され、中央で渦巻くことなく、小型滑走艇１１の前に達し、環状流れが継続する。
【００１９】
このように、小型滑走艇の検査装置１０は、小型滑走艇１１の長さＬｂの少なくとも２倍の長さＬで、小型滑走艇１１の幅Ｗｂの少なくとも２倍の幅Ｗの水面４３を有する水槽１２と、この水槽１２内に水平環状流れを形成するために水槽１２の幅Ｗ方向中央に立てた仕切り壁１４と、小型滑走艇１１からのジェット水１７を案内するために小型滑走艇の艇尾１１ａ後方に且つ環状流れ中に設けた水流案内板１５と、からなるので、小型滑走艇１１がジェット水１７を噴射すると環状流れが生じて、ジェット水１７が水槽１２の側板に当たって直接艇尾に戻ったり、艇尾に滞留したりすることがなく、水槽で小型滑走艇１１を実際の使用条件と同等の条件で性能検査することができる。
【００２０】
また、検査装置１０では、小型滑走艇１１の長さＬｂの少なくとも２倍の長さＬで、小型滑走艇１１の幅Ｗｂの少なくとも２倍の幅Ｗの水面４３を有する水槽１２を用いるので、水槽１２の高さは低くなり、検査装置１０の高さを低くすることができる。その結果、建屋の高さが低い工場やクレーンの高さが低い工場に設置することができる。
【００２１】
次に、本発明に係る小型滑走艇の検査装置の別実施の形態を示す。
図４は第２実施の形態図であり、上記図１に示す実施の形態と同様の構成については、同一符号を付し説明を省略する。なお、Ｖは側面視の方向を示す。
【００２２】
小型滑走艇の検査装置５０は、小型滑走艇を水槽５１にセットし、計測装置を用いて所定の項目を計測するもので、水槽５１と、水槽５１内に設けた仕切り板５２と、水流案内板５３とからなる。５４は水滴除去装置、５５は安全柵、５６は検査の際に小型滑走艇１１をセットする載置台を示す。
【００２３】
水槽５１は、底板５７の四辺にそれぞれ第１側板６１、第２側板６２、第３側板６３、第４側板６４を立て、これらの第１〜第４側板６１〜６４の上端に上板６５を取付けたものである。６６は第４側板６４側に着脱自在に設けた間仕切り板、６７，６８は階段を示す。
水槽５１の長さをＬａに設定した。長さＬａは、小型滑走艇の長さＬｂ（図５参照）の少なくとも２倍の長さである。
水槽５１の高さをＨａに設定した。
【００２４】
水滴除去装置５４は、水槽５１の上板６５の隣に床部材７１を設け、この床部材７１上に電動で小型滑走艇の後方を上下動させることができる載置台７２を取付け、載置台７２の隣に送風手段７３を配置したもので、検査の際に付いた水を取り除く。
【００２５】
上板６５は、小型滑走艇より大きな開口部２７を形成し、開口部２７の端に３個の掛止部材３１，３１，３１を取付け、間仕切り板６６の上部に開閉蓋６５ａを取付け、第４側板６４側に排気管３２を取付け、第４側板６４側に排気管３２を移動して取付けるための蓋付きの排気口６５ｂを設けたものである。
【００２６】
水１６の水位をＨｗｂに設定した。水位Ｈｗｂは、小型滑走艇の高さＨｂ（図５参照）の少なくとも２倍の高さの水深を形成する水量の位置である。
仕切り板５２は、上下環状流れ（矢印▲４▼の方向）を形成するためのもので、水槽５１の高さＨａ方向中央（ほぼＨａ／２）に設けるとともに、一端に流入部７４を形成し、他端に流出部７５を形成した。
【００２７】
水流案内板５３は、小型滑走艇からのジェット水を案内するとともに、上下環状流れを案内するために上下環状流れの四隅７６，７７，７８，７９に設けたもので、隅７６に設け且つ間仕切り板６６に着脱自在に取付けた第１上部案内板８１と、隅７７に設け且つ間仕切り板６６に取付けた第１下部案内板８２と、隅７８に設けた第２下部案内板８３と、隅７９に設けた第２上部案内板８４と、第４側板６４側の隅８５，８６にそれぞれ設けた第３上部案内板８７、第３下部案内板８８と、からなる。
なお、間仕切り板６６の上部の開閉蓋６５ａを開け、第１上部案内板８１を取り外して、間仕切り板６６とともに第１下部案内板８２を取り外すことができる。その際には、排気管３２を排気口６５ｂに取付け、排出ガスの排気を行う。
【００２８】
次に、第２実施の形態の作用を説明する。
図５は第２実施の形態の作用図である。
小型滑走艇１１がジェット水１７を艇尾１１ａ後方に噴射すると、ジェット水１７は水流案内板５３の第１上部案内板８１に矢印▲５▼の如く当たるとともに、第１上部案内板８１により矢印▲６▼の如く案内され、第１下部案内板８２により矢印▲７▼の如く案内される。さらに、仕切り板５２によって中央で上昇することなく小型滑走艇１１の前方へ導かれる。そして、前方へ導かれたジェット水１７は第２下部案内板８３により上方へ案内され、続けて、第２上部案内板８４により矢印▲８▼の如く案内されて小型滑走艇１１の前に達し、環状流れが生じるとともに、環状流れが継続する。
【００２９】
このように、小型滑走艇の検査装置５０は、側面視で小型滑走艇１１の長さＬｂの少なくとも２倍の長さＬａで、小型滑走艇１１の高さＨｂの少なくとも２倍の高さの水深（水位Ｈｗｂ）を有する水槽５１と、この水槽５１内に上下環状流れを形成するために水槽５１の高さＨａ方向中央に設けた仕切り板５２と、上下環状流れを案内するために上下環状流れの四隅７６，７７，７８，７９に設けた水流案内板５３と、からなるので、小型滑走艇１１がジェット水１７を噴射すると環状流れが生じて、ジェット水１７が水槽５１の側板に当たって直接艇尾に戻ったり、艇尾に滞留したりすることがなく、水槽で小型滑走艇１１を実際の使用条件と同等の条件で性能検査することができる。
【００３０】
また、検査装置５０では、間仕切り板６６の上部の開閉蓋６５ａを開け、第１上部案内板８１を取り外して、間仕切り板６６とともに第１下部案内板８２を取り外し可能な構成としたので、小型滑走艇１１から水流案内板５３の第３上部案内板８７、第３下部案内板８８までの距離を大きくすることができる。その結果、小型滑走艇の出力が小型滑走艇１１より大きい場合であっても、ジェット水１７が水槽５１の側板に当たって外に出たり、直接艇尾に戻ったり、艇尾に滞留したりすることがなく、水槽で高出力な小型滑走艇を実際の使用条件と同等の条件で性能検査することができる。
【００３１】
次に、本発明に係る小型滑走艇の検査装置５０を採用した組立てラインの一例を簡単に説明する。
図６は本発明に係る検査装置を採用した組立てラインの平面図である。
組立てライン９０は、検査装置５０の搬入側に設けて完成した小型滑走艇１１を搬入する搬入装置９１と、小型滑走艇１１を吊り移動させるクレーン装置９２と、検査装置５０の搬出側に設けて検査済みの小型滑走艇１１を搬出する搬出装置９３と、電力供給装置９４と、を備えるものである。９１ａ，９３ａは搬送台車を示す。
【００３２】
クレーン装置９２は、横行（Ｘ方向）用の横行レール９２ａと、横行レール９２ａを走行する縦行（Ｙ方向）用の縦行レール９２ｂと、縦行レール９２ｂを走行するとともに、小型滑走艇１１を吊り上げる巻き上げ装置９２ｃと、からなる。
【００３３】
図７は図６の７矢視図であり、搬入装置９１と、クレーン装置９２と、小型滑走艇の検査装置５０と、搬出装置９３と、電力供給装置９４とを示す。
電力供給装置９４は、横行レール９２ａの下方を巻き上げ装置９２ｃと干渉せずに走行可能（Ｘ方向）で、小型滑走艇１１へケーブル９４ａを介して電力を供給する。
【００３４】
次に、検査および搬送要領を簡単に説明する。
まず、搬入装置９１で検査装置５０の隣に完成した小型滑走艇１１を搬送し、クレーン装置９２で小型滑走艇１１を矢印ａの如く吊り上げ、水槽５１内の載置台５６に小型滑走艇１１を矢印ｂの如く据え付ける。その次に、掛止部材３１（図６参照），３１，３１で小型滑走艇１１を固定する。引き続き、電力供給装置９４のケーブル９４ａを小型滑走艇１１のバッテリーに接続する。そして、エンジンを始動し、完成検査を実施する。検査終了後、ケーブル９４ａ、掛止部材３１，３１，３１を取り外し、クレーン装置９２で小型滑走艇１１を矢印ｃの如く吊り上げ、水滴除去装置５４の載置台７２に載せて付着した水分を除去する。最後に、クレーン装置９２で小型滑走艇１１を吊り上げ、搬出装置９３へ矢印ｄの如く払い出し、検査の１サイクル目が完了する。
【００３５】
検査の１サイクルに要する時間は組立てラインで小型滑走艇１１が搬送されてくる時間より短く設定した時間であり、２サイクル目開始準備が完了した時点で次の小型滑走艇１１が搬送されてくる。
このように、組立てラインに小型滑走艇の検査装置５０を採用することで、組立てライン９０の速度に同期した速度で小型滑走艇１１の完成性能検査を実施することができ、完成した小型滑走艇１１が検査待ちで溜まることはなく、検査で不具合が発生した場合に短時間で対応することができ、不具合対応のスピード化を図ることができる。
【００３６】
尚、本発明の実施の形態に示した図１の水流案内板１５では、案内板本体を３枚だけ設けたが、案内板本体の枚数は任意である。
また、水流案内板１５の円弧状の長さは任意である。
水流案内板１５を一箇所に設けたが、二箇所以上に設けることも可能である。
【００３７】
【発明の効果】
本発明は上記構成により次の効果を発揮する。
請求項１では、小型滑走艇の検査装置は、小型滑走艇を浮かべる水槽と、この水槽内に水平環状流れを形成するために水槽の幅方向中央に立てた仕切り壁と、小型滑走艇からのジェット水を案内するために小型滑走艇の艇尾後方に且つ環状流れ中に設けた水流案内板と、からなる小型滑走艇の検査装置において、水流案内板は、仕切り壁の一端を中心とした所定半径の第１の案内板本体と、第１の案内板本体から所定距離だけ離し同心の第２の案内板本体と、第２の案内板本体から所定距離だけ離し同心の第３の案内板本体と、からなるので、小型滑走艇がジェット水を艇尾後方に噴射すると、ジェット水は水流案内板が備える同心で半径が異なる第１・第２・第３案内板本体に当たるとともに、水流案内板の同心で半径が異なる第１・第２・第３案内板本体でＵターンするように案内され、水には環状流れが起き、引き続き、流れの先頭は仕切り壁により中央で渦巻くことなく、直進するように案内され、小型滑走艇の前に達し、環状流れが継続する。その結果、小型滑走艇のジェット水が水槽の側板に当たって直接艇尾に戻ったり、艇尾に滞留したりすることがなく、水槽で小型滑走艇を実際の使用条件と同等の条件で性能検査することができる。
【００３８】
請求項２では、小型滑走艇の検査装置は、小型滑走艇を浮かべる水槽と、この水槽内に上下環状流れを形成するために水槽の高さ方向中央に設けた仕切り板と、上下環状流れを案内するために上下環状流れの四隅に設けた水流案内板と、からなるので、小型滑走艇がジェット水を艇尾後方に噴射すると、ジェット水は水流案内板により水面側から水槽の底に向い、続けて、底に沿って小型滑走艇の前方に向う。その際、水槽の高さ方向中央に設けた仕切り板によりジェット水が中央で上昇するのを防ぎつつ、前方へ導く。続けて、水流案内板により底から小型滑走艇前方の水面へ案内され、環状流れが継続する。その結果、小型滑走艇のジェット水が水槽の側板に当たって直接艇尾に戻ったり、艇尾に滞留したりすることがなく、水槽で小型滑走艇を実際の使用条件と同等の条件で性能検査することができる。
また、請求項２では、上部案内板を取り外して、間仕切り板とともに下部案内板を取り外し可能な構成としたので、小型滑走艇からの距離を大きくすることができる。その結果、小型滑走艇の出力がより大きい場合であっても、ジェット水が水槽の側板に当たって外に出たり、直接艇尾に戻ったり、艇尾に滞留したりすることがなく、水槽で高出力な小型滑走艇を実際の使用条件と同等の条件で性能検査することができる。
【図面の簡単な説明】
【図１】本発明に係る小型滑走艇の検査装置の平面図（第１実施の形態）
【図２】図１の２−２線断面図（第１実施の形態）
【図３】本発明に係る小型滑走艇の検査装置の作用図
【図４】第２実施の形態図
【図５】第２実施の形態の作用図
【図６】本発明に係る検査装置を採用した組立てラインの平面図
【図７】図６の７矢視図
【符号の説明】
１０，５０…小型滑走艇の検査装置、１１，５１…小型滑走艇、１１ａ…艇尾、１２…水槽、１４…仕切り壁、１５…水流案内板、１７…ジェット水、３５…第１の案内板本体、３６…第２の案内板本体、３７…第３の案内板本体、４３…水面、５２…仕切り板、５３…水流案内板、６６…間仕切り板、７６…間仕切り板の上方の隅、７７…間仕切り板の下方の隅、７８〜７９，８５，８６…隅、８１…上部案内板（第１上部案内板）、８２…下部案内板（第１下部案内板）、Ｈａ…水槽の高さ、Ｈｗｂ…水位、Ｌ，Ｌａ…水槽の長さ、Ｌｂ…小型滑走艇の長さ、Ｗ…水槽の幅、Ｗｂ…小型滑走艇の幅。
【図１】
0003730163.tif 000002
【図２】
0003730163.tif 000003
【図３】
0003730163.tif 000004
【図４】
0003730163.tif 000005
【図５】
0003730163.tif 000006
【図６】
0003730163.tif 000007
【図７】
0003730163.tif 000008